(57)【要約】【課題】ユーザに負荷をかけることなく、機能の設定を切り替えることができるようにする。【解決手段】設定情報記憶部１１０は、電子機器１００のある機能の設定である第１の設定情報を記憶するとともに、この機能の設定である第２の設定情報を、第２の設定情報が適用時間帯とともに記憶している。ここでの機能は、例えば電子機器１００のユーザに対する通知機能である。機能設定部１４０は電子機器１００が外部機器に接続されていないときに、第１の設定情報に従って上記した機能を設定し、電子機器１００が外部機器に接続されており、かつ現在時刻が適用時間帯に含まれているとき、第２の設定情報に従って上記した機能を設定する。このため、外部機器への接続の有無によって、電子機器１００の機能設定を自動で変更することができる。【選択図】図１
2012199789.tif 000002
【特許請求の範囲】
【請求項１】
電子機器であって、
前記電子機器の機能に関する第１の設定情報を記憶するとともに、前記機能の第２の設定情報を、当該第２の設定情報が適用されるべき適用時間帯を示す情報とともに記憶する設定情報記憶手段と、
前記電子機器が外部機器に接続されていないときに、前記第１の設定情報に従って前記機能を設定し、前記電子機器が前記外部機器に接続されており、かつ現在時刻が前記適用時間帯に含まれるときに、前記第２の設定情報に従って前記機能を設定する機能設定手段と、
を備える電子機器。
【請求項２】
請求項１に記載の電子機器において、
前記機能設定手段は、
通常は前記第１の設定情報にしたがって前記機能を設定しておき、
前記電子機器が前記外部機器に接続されたとき、現在時刻が前記適用時間帯に含まれているか否かを確認し、現在時刻が前記適用時間帯に含まれているときに、前記機能を、前記第２の設定情報に従って更新する電子機器。
【請求項３】
請求項２に記載の電子機器において、
前記機能設定手段は、前記第２の設定情報に従って前記機能を設定したのち、前記電子機器が前記外部機器から取り外されたとき、または現在時刻が前記適用時間帯から外れたとき、前記機能を、前記第１の設定情報に従って更新する電子機器。
【請求項４】
請求項１〜３のいずれか一項に記載の電子機器において、
前記機能は、ユーザへの通知機能である電子機器。
【請求項５】
請求項４に記載の電子機器において、
前記電子機器は携帯通信端末であり、
前記通知機能は、メールの着信通知、電話の着信通知、及びアラームの少なくとも一つを含む電子機器。
【請求項６】
請求項１〜５のいずれか一項に記載の電子機器において、
前記外部機器は前記電子機器に対する充電機能を有している電子機器。
【請求項７】
電子機器の設定方法であって、
前記電子機器が、ユーザへの通知機能の設定である第１の設定情報を記憶するとともに、前記通知機能の設定である第２の設定情報を、当該第２の設定情報が適用されるべき適用時間帯を示す情報とともに記憶しておき、
前記電子機器が、外部機器に接続されていないときには前記第１の設定情報に従って前記通知機能を設定し、前記外部機器に接続されており、かつ現在時刻が前記適用時間帯に含まれているときには前記第２の設定情報に従って前記通知機能を設定する電子機器の設定方法。
【請求項８】
電子機器に使用されるプログラムであって、
前記電子機器に、
ユーザへの通知機能の設定である第１の設定情報を記憶するとともに、前記通知機能の設定である第２の設定情報を、当該第２の設定情報が適用されるべき適用時間帯を示す情報とともに記憶させる機能と、
前記電子機器が外部機器に接続されていないときには前記第１の設定情報に従って前記通知機能を設定し、前記電子機器が前記外部機器に接続されており、かつ現在時刻が前記適用時間帯に含まれているときには前記第２の設定情報に従って前記通知機能を設定する機能と、
を実現させるプログラム。
【発明の詳細な説明】
【技術分野】
【０００１】
本発明は、ユーザへの通知機能を有する電子機器、電子機器の設定方法、及びプログラムに関する。
【背景技術】
【０００２】
携帯通信端末などの電子機器は、電話やメールの着信通知など、ユーザへの通知機能を有している。この通知機能としては、例えば音声出力を行うものや、バイブレーションを行うものがある。どの機能を用いるかは、ユーザによる設定に従っている。
【０００３】
また、特許文献１に記載されているように、夜間などで着信拒否を行うために、電子機器に着信拒否モードが設けられている場合がある。特に特許文献１では、おやすみモードに設定されている場合において、相手に、至急の連絡を行うための手順を示したガイダンスを流すことが記載されている。
【先行技術文献】
【特許文献】
【０００４】
【特許文献１】特開２００１−２６８６３８号公報
【発明の概要】
【発明が解決しようとする課題】
【０００５】
上記した着信拒否モードへの切替は、ユーザが毎回設定する必要がある。このため、ユーザの負荷が高かった。
【０００６】
本発明の目的は、ユーザに負荷をかけることなく、機能の設定を切り替えることができる電子機器、電子機器の設定方法、及びプログラムを提供することにある。
【課題を解決するための手段】
【０００７】
本発明によれば、電子機器であって、
前記電子機器の機能に関する第１の設定情報を記憶するとともに、前記機能の第２の設定情報を、当該第２の設定情報が適用されるべき適用時間帯を示す情報とともに記憶する設定情報記憶手段と、
前記電子機器が外部機器に接続されていないときに、前記第１の設定情報に従って前記機能を設定し、前記電子機器が前記外部機器に接続されており、かつ現在時刻が前記適用時間帯に含まれるときに、前記第２の設定情報に従って前記機能を設定する機能設定手段と、
を備える電子機器が提供される。
【０００８】
本発明によれば、電子機器の設定方法であって、
前記電子機器が、ユーザへの通知機能の設定である第１の設定情報を記憶するとともに、前記通知機能の設定である第２の設定情報を、当該第２の設定情報が適用されるべき適用時間帯を示す情報とともに記憶しておき、
前記電子機器が、外部機器に接続されていないときには前記第１の設定情報に従って前記通知機能を設定し、前記外部機器に接続されており、かつ現在時刻が前記適用時間帯に含まれているときには前記第２の設定情報に従って前記通知機能を設定する電子機器の設定方法が提供される。
【０００９】
本発明によれば、電子機器に使用されるプログラムであって、
前記電子機器に、
ユーザへの通知機能の設定である第１の設定情報を記憶するとともに、前記通知機能の設定である第２の設定情報を、当該第２の設定情報が適用されるべき適用時間帯を示す情報とともに記憶させる機能と、
前記電子機器が外部機器に接続されていないときには前記第１の設定情報に従って前記通知機能を設定し、前記電子機器が前記外部機器に接続されており、かつ現在時刻が前記適用時間帯に含まれているときには前記第２の設定情報に従って前記通知機能を設定する機能と、
を実現させるプログラムが提供される。
【発明の効果】
【００１０】
本発明によれば、ユーザに負荷をかけることなく、機能の設定を切り替えることができる。
【図面の簡単な説明】
【００１１】
【図１】実施形態に係る電子機器の機能構成を示すブロック図である。
【図２】実施形態に係る電子機器の機能構成を詳細に示すブロック図である。
【図３】設定情報記憶部が記憶しているデータの一例をテーブル形式で示す図である。
【図４】電子機器の第１の動作を示すフローチャートである。
【図５】電子機器の第２の動作を示すフローチャートである。
【図６】電子機器の第３の動作を示すフローチャートである。
【発明を実施するための形態】
【００１２】
以下、本発明の実施の形態について、図面を用いて説明する。尚、すべての図面において、同様な構成要素には同様の符号を付し、適宜説明を省略する。
【００１３】
図１は、実施形態に係る電子機器１００の機能構成を示すブロック図である。電子機器１００は、設定情報記憶部１１０及び機能設定部１４０を有している。設定情報記憶部１１０は、電子機器１００のある機能の設定である第１の設定情報を記憶するとともに、この機能の設定である第２の設定情報を記憶している。ここでの機能は、例えば電子機器１００のユーザに対する通知機能である。機能設定部１４０は電子機器１００が外部機器２００に接続されていないときに、第１の設定情報に従って上記した機能を設定し、電子機器１００が外部機器２００に接続されているとき、第２の設定情報に従って上記した機能を設定する。このため、外部機器２００への接続の有無によって、電子機器１００の機能設定を自動で変更することができる。
【００１４】
電子機器１００は、例えば携帯通信端末である。そして通知機能は、メールの着信通知、電話の着信通知、及びアラームの少なくとも一つを含んでいる。ただし電子機器１００はこの例に限定されず、また通知機能もこれらの例に限定されない。例えば電子機器１００は、ノートＰＣ、ゲーム機器（携帯型を含む）、タブレット型ＰＣ、またはＰＨＡであってもよい。また通知機能としては、音声出力を行うもの、バイブレーションを行うもの、及び光の点滅を行うものがあるが、これらに限定されない。
【００１５】
以下、図２を用いて、電子機器１００の構成を具体的に説明する。この説明では、機能が通知機能であるとする。ただし、設定対象となる機能は、通知機能に限定されない。
【００１６】
外部機器２００は、電子機器１００に対する充電機能を有している機器である。外部機器２００は、例えば充電器（充電台がある場合とない場合の双方を含む）、グレードルであるが、これらに限定されない。
【００１７】
本実施形態において、設定情報記憶部１１０は、第２の設定情報を、この第２の設定情報が適用されるべき適用時間帯を示す情報とともに記憶している。そして電子機器１００が外部機器２００に接続され、かつ現在時刻が適用時間帯に含まれているとき、第２の設定情報に従って通知機能を設定する。
【００１８】
電子機器１００は、さらにアラーム時刻記憶部１２０、接続検出部１３０、通信部１５０、及び通知処理部１６０を有している。アラーム時刻記憶部１２０は、アラームを行う時刻を記憶している。この時刻は、電子機器１００のユーザにより設定される。接続検出部１３０は、電子機器１００が外部機器２００と接続しているか否かを検出し、この検出結果を機能設定部１４０に出力する。通信部１５０は、電子機器１００が外部と通信を行うためのものである。ここでの通信には、電話、及びデータ通信の双方が含まれる。通知処理部１６０は、機能設定部１４０による通知機能の設定に従って、ユーザに対する通知処理を行う。通知処理部１６０は、例えば通信部１５０が外部からメールまたは電話を着信したとき、その着信を通知する処理を行う。また通知処理部１６０は、アラーム時刻記憶部１２０が記憶している時刻になると、ユーザに対してその時刻になったことを通知する処理を行う。
【００１９】
また、電子機器１００は時計機能を有している（図示せず）。この時計機能による時刻情報は、機能設定部１４０に出力される。
【００２０】
なお、図１及び図２に示した電子機器１００の各構成要素は、ハードウエア単位の構成ではなく、機能単位のブロックを示している。電子機器１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例がある。
【００２１】
図３は、設定情報記憶部１１０が記憶しているデータの一例をテーブル形式で示す図である。設定情報記憶部１１０は、第１の設定情報及び第２の設定情報を記憶している。本図に示す例では、通知機能は、電話の着信通知、メールの着信通知、及びアラームである。そして、設定情報は、これらの通知それぞれに対してどのような方式で通知を行うかを定めている。また、第２の設定情報は、第２の設定情報が適用される時間帯に対応付けて記憶されている。
【００２２】
さらに本図に示す例では、第２の設定情報を適用するための条件として、外部機器２００との接続を確認するか否かを、ユーザが設定することができるようになっている。設定情報記憶部１１０は、その接続確認の要否を、第２の設定情報に対応付けて記憶している。
【００２３】
ただし、ユーザが通知機能の切替を望まない場合もある。このような場合、設定情報記憶部１１０には、第２の設定情報が記憶されていないこともある。
【００２４】
図４は、電子機器１００の第１の動作を示すフローチャートである。このフローチャートは、電子機器１００が通知機能を設定するときのフローチャートである。
【００２５】
まず電子機器１００の機能設定部１４０は、第２の設定情報を使用した通知機能を用いることが、ユーザによって選択されている（ＯＮ）か否か（ＯＦＦ）を確認する（ステップＳ１０）。ユーザによって選択されていない場合（ステップＳ１０：Ｎｏ）、第１の設定情報に従って通知機能を設定する（ステップＳ８０）。
【００２６】
ユーザによって選択されている場合（ステップＳ１０：Ｙｅｓ）、機能設定部１４０は、設定情報記憶部１１０から第２の設定情報に対応している適用時間帯を読み出す（ステップＳ２０）。そして機能設定部１４０は、現在時刻が適用時間帯に含まれていない場合（ステップＳ３０：Ｎｏ）、第１の設定情報に従って通知機能を設定する（ステップＳ８０）。
【００２７】
また機能設定部１４０は、現在時刻が適用時間帯に含まれている場合（ステップＳ３０：Ｙｅｓ）、設定情報記憶部１１０から、第２の設定情報を適用する際に、外部機器２００との接続を必要条件としているか否かを確認する。
【００２８】
外部機器２００との接続を必要条件としている場合（ステップＳ４０：Ｙｅｓ）、機能設定部１４０は、接続検出部１３０が、電子機器１００と外部機器２００の接続を検出しているか否かを判断する。接続を検出していない場合（ステップＳ５０：Ｎｏ）、機能設定部１４０は、第１の設定情報に従って通知機能を設定する（ステップＳ８０）。
【００２９】
また機能設定部１４０は、接続検出部１３０が電子機器１００と外部機器２００の接続を検出している場合（ステップＳ５０：Ｙｅｓ）、ステップＳ６０に進む。
【００３０】
なお、機能設定部１４０は、第２の設定情報を適用する際に外部機器２００との接続を必要条件としていない場合（ステップＳ４０：Ｎｏ）、ステップＳ５０に示した処理を行わずに、ステップＳ６０に進む。
【００３１】
次いで機能設定部１４０は、設定情報記憶部１１０に記憶されている第２の設定情報の内容を確認する。この第２の設定情報が、第１の設定情報をそのまま適用することを示している場合（ステップＳ６０：Ｙｅｓ）、機能設定部１４０は、第１の設定情報に従って通知機能を設定する（ステップＳ８０）。
【００３２】
また機能設定部１４０は、第２の設定情報が、第１の設定情報とは別に設定されている場合（ステップＳ６０：Ｎｏ）、第２の設定情報に従って通知機能を設定する（ステップＳ７０）。
【００３３】
図５は、電子機器１００の第２の動作を示すフローチャートである。このフローチャートは、電子機器１００の通知機能として第１の通知機能が設定されており、その後、通知機能を第２の通知機能に更新するときのフローチャートである。
【００３４】
まず機能設定部１４０は、設定情報記憶部１１０から第２の設定情報に対応している適用時間帯を読み出す（ステップＳ１１０）。そして機能設定部１４０は、現在時刻が適用時間帯に含まれていない場合（ステップＳ１２０：Ｎｏ）、通知機能の設定を更新せず（ステップＳ１７０）に処理を終了する。
【００３５】
機能設定部１４０は、現在時刻が適用時間帯に含まれている場合（ステップＳ１２０：Ｙｅｓ）、設定情報記憶部１１０から、第２の設定情報を適用する際に、外部機器２００との接続を必要条件としているか否かを確認する。
【００３６】
外部機器２００との接続を必要条件としている場合（ステップＳ１３０：Ｙｅｓ）、機能設定部１４０は、接続検出部１３０が、電子機器１００と外部機器２００の接続を検出しているか否かを判断する。接続を検出していない場合（ステップＳ１４０：Ｎｏ）、機能設定部１４０は、通知機能の設定を更新せず（ステップＳ１７０）に処理を終了する。
【００３７】
また機能設定部１４０は、接続検出部１３０が電子機器１００と外部機器２００の接続を検出している場合（ステップＳ１４０：Ｙｅｓ）、ステップ１５０に進む。
【００３８】
なお、機能設定部１４０は、第２の設定情報を適用する際に外部機器２００との接続を必要条件としていない場合（ステップＳ１３０：Ｎｏ）、ステップＳ１４０に示した処理を行わずに、ステップＳ１５０に進む。
【００３９】
次いで機能設定部１４０は、設定情報記憶部１１０に記憶されている第２の設定情報の内容を確認する。この第２の設定情報が、第１の設定情報をそのまま適用することを示している場合（ステップＳ１５０：Ｙｅｓ）、通知機能の設定を更新せず（ステップＳ１７０）に処理を終了する。
【００４０】
また機能設定部１４０は、第２の設定情報が、第１の設定情報とは別に設定されている場合（ステップＳ１５０：Ｎｏ）、第２の設定情報に従って通知機能の設定を更新する（ステップＳ１６０）。
【００４１】
図６は、電子機器１００の第３の動作を示すフローチャートである。このフローチャートは、電子機器１００の通知機能として第２の通知機能が設定されており、その後、通知機能を第１の通知機能に更新するときのフローチャートである。
【００４２】
まず機能設定部１４０は、設定情報記憶部１１０から第２の設定情報に対応している適用時間帯を読み出す（ステップＳ２１０）。そして機能設定部１４０は、現在時刻が適用時間帯に含まれていない場合（ステップＳ２２０：Ｎｏ）、第１の設定情報に従って通知機能の設定を更新する（ステップＳ２５０）。
【００４３】
機能設定部１４０は、現在時刻が適用時間帯に含まれている場合（ステップＳ２２０：Ｙｅｓ）、設定情報記憶部１１０から、第２の設定情報を適用する際に、外部機器２００との接続を必要条件としているか否かを確認する。
【００４４】
外部機器２００との接続を必要条件としている場合（ステップＳ２３０：Ｙｅｓ）、機能設定部１４０は、接続検出部１３０が、電子機器１００と外部機器２００の接続を検出しているか否かを判断する。接続を検出していない場合（ステップＳ２４０：Ｎｏ）、機能設定部１４０は、第１の設定情報に従って通知機能の設定を更新する（ステップＳ２５０）。
【００４５】
また機能設定部１４０は、接続検出部１３０が電子機器１００と外部機器２００の接続を検出している場合（ステップＳ２４０：Ｙｅｓ）、通知機能の設定を更新せず（ステップＳ２６０）に処理を終了する。
【００４６】
なお、第２の設定情報を適用する際に外部機器２００との接続を必要条件としていない場合（ステップＳ２３０：Ｎｏ）、通知機能の設定を更新せず（ステップＳ２６０）に処理を終了する。
【００４７】
次に、本実施形態の作用及び効果について説明する。本実施形態によれば、機能設定部１４０は電子機器１００が外部機器２００に接続されていないときに、第１の設定情報に従って上記した機能を設定し、電子機器１００が外部機器２００に接続されているとき、第２の設定情報に従って上記した機能を設定する。このため、外部機器２００への接続の有無によって、電子機器１００の機能設定を自動で変更することができる。
【００４８】
例えば外部機器２００が充電機能を有している場合、電子機器１００が外部機器２００に接続している場合は、ユーザが休息している場合が多い。このため、ユーザが休息中に電子機器１００によって煩わしさを感じることを抑制できる。特に本実施形態では、第２の設定情報を適用するための適用時間帯をユーザが設定している。このため、電子機器１００は、高い精度でユーザが休息中であるタイミングで第２の設定情報を適用することができる。
【００４９】
また本実施形態では、第２の設定情報による機能設定から第１の設定情報による機能設定への更新も、自動で行える。従って、ユーザにかかる負荷をさらに小さくすることができる。
【００５０】
以上、図面を参照して本発明の実施形態について述べたが、これらは本発明の例示であり、上記以外の様々な構成を採用することもできる。
【符号の説明】
【００５１】
１００ 電子機器
１１０ 設定情報記憶部
１２０ アラーム時刻記憶部
１３０ 接続検出部
１４０ 機能設定部
１５０ 通信部
１６０ 通知処理部
２００ 外部機器
【図１】
2012199789.tif 000003
【図２】
2012199789.tif 000004
【図３】
2012199789.tif 000005
【図４】
2012199789.tif 000006
【図５】
2012199789.tif 000007
【図６】
2012199789.tif 000008